(57)【要約】【課題】簡易な構成で内部流体を効果的に浄化できる浄水装置を提供する。【解決手段】浄水装置１を、断面円形のパイプ状の保持連結部３と、この保持連結部３内に直列状に収容して配置した複数個の環状体５と、保持連結部３内に設けたリング状の誘導体７、９と、から構成する。保持連結部３を、陰極として機能するように、銅又は銅合金製とし、環状体５を、陽極として機能するように、亜鉛製とする。環状体５のそれぞれの内周面２１を、断面形状が２次曲線を描いて、後端から先端まで漸次縮径するように形成する。【選択図】図１
2007190525.tif 000002
【特許請求の範囲】
【請求項１】
パイプ状に形成された陰極部と、前記陰極部内に設けられ、前記陰極部内の流水をこの陰極部との間で電気処理する陽極部と、を有し、前記陰極部が流水管に接続されて流水管路上に配置されることにより、前記流水管路の内部流体を電気処理し浄化する浄水装置であって、
前記陽極部は、前記内部流体が内側を通過するように、パイプ状に形成され、かつ、内周面が先端側に向って漸次縮径するように形成されている、ことを特徴とする浄水装置。
【請求項２】
前記陰極部は銅製であり、前記陽極部は亜鉛製である、ことを特徴とする請求項１記載の浄水装置。
【請求項３】
前記陽極部の前記内周面は、後端部から先端部まで、漸次縮径するように形成されている、ことを特徴とする請求項１又は２記載の浄水装置。
【請求項４】
前記陽極部の前記内周面は、断面形状が曲線を描きながら、漸次縮径するように形成されている、ことを特徴とする請求項１、２又は３記載の浄水装置。
【請求項５】
前記曲線は2次曲線である、ことを特徴とする請求項４記載の浄水装置。
【請求項６】
前記陽極部の先端開口部の内周は、先端側に向って漸次拡径するように形成されている、ことを特徴とする請求項１、２、３、４又は５記載の浄水装置。
【請求項７】
前記陽極部は複数個設けられ、複数個の前記陽極部が直列状に配置されている、ことを特徴とする請求項１、２、３、４、５又は６記載の浄水装置。
【請求項８】
直列状に配置されている前記陽極部の組が並列状に複数設けられている、ことを特徴とする請求項７記載の浄水装置。
【請求項９】
前記陰極部内には誘導体が設けられている、ことを特徴とする請求項１、２、３、４、５、６、７又は８記載の浄水装置。
【請求項１０】
前記陰極部内には誘導体が設けられていて、
この誘導体は、前記陽極部間に配置されている、ことを特徴とする請求項９記載の浄水装置。
【発明の詳細な説明】
【技術分野】
【０００１】
本発明は、浄水装置に関するものであり、特に、金属製の構成部材間の電位差（イオン化傾向の順位差）を利用する浄水装置に関する。
【背景技術】
【０００２】
水の消費量が増すにつれ、水の品質の対する関心が強くなり、水道管路などの流水管路内のつまりや水の腐食の原因となっている錆、赤水及びカルシウム、マグネシウム等の結晶に対処を施すことが必要となっている。このような要求を満足させる対処手段としては、イオン効果を含んだ構成が知られている。また、外部から電流や電圧を加えず、亜鉛陽極によるガルバーニ電極作用を利用したものもあり（例えば特許文献１参照）、このような浄水装置を用いると、簡単な構造で大きな耐久性を有し、効果的に流水管路の内部流体を浄化することが可能となる。
【０００３】
【特許文献１】特許第３１３７２９２号公報
【発明の開示】
【発明が解決しようとする課題】
【０００４】
しかしながら、金属の電位差を利用する浄水装置は、給水による水流が金属に接することにより電極としての作用を受け、浄水効果を得るものであるが、従来の装置は水流と電極の役割を果たす金属が平行であることより、給水された水流は直線的であり金属の電位差を利用する効果は十分であるとはいい難い。
【０００５】
そこで本発明は、簡易な構成で内部流体を効果的に浄化できる浄水装置の提供を目的とする。
【課題を解決するための手段】
【０００６】
この目的を達成するための本発明の浄水装置は、例えば、外部から電流や電圧を加える必要のない浄水装置であり、パイプ状に形成された陰極部（イオン化傾向の小さい金属製部材）と、前記陰極部内に設けられ、前記陰極部内の流水をこの陰極部との間で電気処理する陽極部（イオン化傾向の大きい金属製部材）と、を有し、前記陰極部が流水管に接続されて流水管路上に配置されることにより、前記流水管路の内部流体（内部流水）を電気処理し浄化する浄水装置であって、前記陽極部（陰極部よりイオン化傾向の大きい金属製部材）は、前記内部流体が内側を通過するように（外側を通過するように構成できる）、パイプ状に形成され、かつ、内周面が先端側（内部流体が流れる方向側）に向って漸次縮径するように形成されているものである。このように構成すると、陽極部内を通過するときに、内部流体に乱流又は渦流が生じやすく、内部流体の陽極部との接触時間が長くなり、浄水効果が向上する。陰極部は銅（銅合金を含む）製とすることができ、陽極部は亜鉛（亜鉛合金を含む）製とすることができる。陽極部の内周面は、後端部から先端部まで、漸次縮径するように形成することができる。本発明の浄水装置では、例えば陽極部と陰極部の間で、あるいは陽極部で、不純物が酸化され、あるいは還元されるといった電気処理が行われる。この電気処理により、あるいは電気分解により、不純物が除去され内部流体は浄化される、本発明の浄水装置では、例えば陽極部が亜鉛で、陰極部が銅であり、亜鉛と銅のイオン化傾向が異なることより、銅よりもイオン化傾向の大きい亜鉛が亜鉛イオン化し、鉄さびを還元反応により分解し、鉄さびを鉄にもどす等の電気処理が行なわれる。
【０００７】
より効果的に内部流体に乱流又は渦流を生じさせるためには、陽極部の内周面を、断面形状が曲線（例えば一対の曲線）を描きながら漸次縮径するように形成しておくのが得策である。曲線は２次曲線とすることができ、例えば単一の２次曲線又は複数の２次曲線の組み合わせとすることができる。
【０００８】
陽極部の先端開口部の内周を、先端側に向って漸次拡径するように形成し、乱流を誘発するようにしてもよい。
【０００９】
陽極部を複数個設け、この複数個の陽極部を直列状に配置することができる。
【００１０】
陰極部内には誘導体が設けられることが好ましい。内部流体はこの誘導体と接触して静電気を帯びる（ＨイオンとＯＨイオンあるいは水素イオンと水酸化イオンに分極）こととなる。この誘導体を、陽極部間に配置すれば、簡単な構成で効果的な浄水機能を確保できる。
【発明の効果】
【００１１】
以上説明したように、本発明の浄水装置は、内部流体が繰り返し陽電極又は陽極部と接触するように構成されているので、効果的な浄水効果を達成できる。
【発明を実施するための最良の形態】
【００１２】
以下、本発明を実施するための形態を図面を参照して説明する。
【００１３】
図１は本発明に係る浄水装置の断面図である。
【００１４】
浄水装置１は、断面円形のパイプ状の保持連結部３と、この保持連結部３内に直列状に収容されて配置された複数個の環状体５と、保持連結部３内に設けられたリング状の誘導体７、９と、を有していて、保持連結部３の両端部をそれぞれ、水道管１１（流水管）に連結してこの浄水装置１が水道管路上に配置されることにより、水道水を電気処理して浄化する。浄化装置１は、典型的には、保持連結部３が垂直方向に延びるように、水道管１１に接続される。
【００１５】
保持連結部３は銅又は銅合金製であり、陰極（陰極部）として機能し、環状体５は亜鉛製であり、陽極（陽極部）として機能する。また、誘導体７、９は樹脂製、より具体的にはポリエチレン製であり、一方の誘導体（下側の誘導体）７は、環状体５を保持連結部３内に保持する保持機能を有している。一方の誘導体７は、一方の端部（下端部）に外向きフランジ状の取付部１３を備え、他方の端部（上端部）に環状の保持凹部１５を有している。保持凹部１５は、誘導体７の環状他端面（環状上端面）の内周側に形成されている。他方の誘導体（上側の誘導体）９は、一方の端部（下端部）の内周に環状の嵌付凹部１７を有し、他方の端部（上端部）に環状の保持凹部１５を有している。なお、図中符号１９は、一方の誘導体７の外周に形成されたドライエリアである。
【００１６】
環状体５はそれぞれ、後端（下端）から先端（上端）まで漸次縮径するように釣鐘状に形成され、内周面２１も後端から先端まで漸次縮径するように形成されている。内周面２１は、断面形状が２次曲線（例えば、２次曲線を組み合わせた形状）を描いて、又は一対の２次曲線を描いて、あるいは左右両側で縮径するように形成されている。環状体５の上端開口部（先端開口部）２３の内周は、一端（下端）から他端（上端）に向って拡径するテーパ状に形成されていて、上端開口部２３の内周の他端の内径は、環状体５の内周面２１の一端（下端）の内径とほぼ同一に設定されている。また、誘導体７、９の内周面の内径も、先端開口部２３の内周の他端の内径及び環状体５の内周面２１の一端の内径とほぼ同一に設定されている。
【００１７】
保持連結部３の一端は、一方の誘導体７の取付部１３を挟み込んで鉄製の水道管１１に連結接続されている。保持連結部３の一端部と水道管１１とは、外周にねじ込まれた、例えば金属製の取付管２５により固定されている。誘導体７の保持凹部１５内には、下側の環状体５の下端部が嵌め込まれて保持され、下側の環状体５の上端には、中間の環状体５が直接載せられている。また、中間の環状体５の上端部には、他方の誘導体９の嵌付凹部１７が嵌められて、他方の誘導体９が載せられている。さらに、他方の誘導体９の保持凹部１５内には、上側の環状体５の下端部が嵌め込まれて保持されている。保持連結部３の他端は、例えば上側の環状体５よりも他端側（上方）に延び、水道管１１と例えば図示しないＯリングを介して連結接続されている。保持連結部３の他端部と水道管１１とは、取付管２５を用いて固定される。
【００１８】
このような構成の浄水装置１内を水道水が流れると、水道水は環状体５内を通過し（水道水は下側、中間及び上側の環状体５の外周にも流れ込み、保持連結部３と接触する）、環状体５の上端開口部２３の手前で水道水に乱流が生じ、水道水の内周面２１と接触する時間が長くなる。水道水は一方の誘導体７に接触して流れ、中間の環状体５の内周面２１を通過すると、中間の環状体５の上端開口部２３内周に導かれて他方の誘導体９に衝突して流れる。したがって、水道水は十分な静電気を帯びることとなる。ここでは、環状体５のイオン化傾向が、保持連結部３のイオン化傾向より大きいので、水道水が環状体５に接触することにより、水道水に含まれている、または水道菅（流水菅）の内部に付着している鉄さびが還元され、すなわち鉄さびが鉄に分解され、その結果、水道水は浄化される。本発明を実施するための最良の形態では、環状体５と保持連結部３とは非接触状態（直接又は導体を介して接続していない状態）であるが、誘電体７の上端外周の突起部を金属製の部材にすること等により、環状体５と保持連結部３とを接触（接続）させてもよい。なお、環状体５を十分な薄肉体として形成することができる。
【産業上の利用可能性】
【００１９】
本発明の浄水装置は、例えば水道管に接続されて水道水を浄化する。
【図面の簡単な説明】
【００２０】
【図１】本発明に係る浄水装置の断面図である。
【符号の説明】
【００２１】
１        浄水装置
３        保持連結部  （陰極部）
５        環状体  （陽極部）
１１      水道管  （流水菅）
２１      内周面
【図１】
2007190525.tif 000003